(57)【要約】【課題】  保持時には鍼が抜け落ちたりせず、施術時には鍼と鍼管を包装から取り出す際に小片の廃棄物が生じない鍼および鍼管の構造体を提供する。【解決手段】  鍼体１０２と鍼柄１０３を備えた鍼１０１と、鍼１０１が通過可能な内径を備えた筒状の鍼管１０４とブリスタ１０６を備えている。ここで、ブリスタ１０６は、鍼柄１０３の一部を鍼管１０４上端から出した状態で鍼管１０４を鍼１０１に外装装着した組み合わせ状態とし、鍼１０１と鍼管１０４の組み合わせ状態のまま収めることができる窪みを備えている。ブリスタの裏面は台紙１０７により封止されている。ブリスタ１０６の窪みにおいて、鍼管上端から出ている鍼柄１０３が収まる部分の内径の一部を鍼柄１０３の外径に対応した鍼柄挟持くびれ１０５を設け、ブリスタの鍼柄挟持くびれ１０５に鍼柄１０３を嵌合して挟持せしめる。【選択図】図２
2008194445.tif 000002
【特許請求の範囲】
【請求項１】
鍼体と鍼柄を備えた鍼と、
前記鍼が通過可能な内径を備えた筒状の鍼管と、
前記鍼柄の一部を前記鍼管上端から出した状態で前記鍼管を前記鍼に外装装着した組み合わせ状態において、前記鍼と鍼管の組み合わせ状態のまま収めることができる窪みを備えたブリスタと、前記ブリスタの裏面を封止する台紙を備えた鍼および鍼管の包装構造体において、
前記ブリスタの窪みにおいて、前記鍼管上端から出ている鍼柄が収まる部分の内径の一部を前記鍼柄の外径に対応した鍼柄挟持くびれを設け、前記ブリスタの鍼柄挟持くびれに前記鍼柄を嵌合して挟持せしめたことを特徴とする鍼および鍼管の包装構造体。
【請求項２】
前記ブリスタの鍼柄挟持くびれ形状が、少なくとも１個のボトルネック型の絞り形状であることを特徴とする請求項１に記載の鍼および鍼管の包装構造体。
【請求項３】
前記ブリスタの鍼柄挟持くびれ形状が波型形状であり、左側の波型と右側の波型の位相が略同位相であり、左側の波型において左側に山がある位置において右側の波型において左側に山があり、左側の波型において右側に山がある位置において右側の波型において右側に山があり、前記鍼柄の側面を両側から少なくとも３点の山で支える形状であることを特徴とする請求項１に記載の鍼および鍼管の包装構造体。
【請求項４】
前記ブリスタに、前方向に屈曲するきっかけとなる溝状の折り目を設けたことを特徴とする請求項１から３のいずれか１項に記載の鍼および鍼管の包装構造体。
【請求項５】
前記鍼柄を前記ブリスタの鍼柄挟持くびれに挟持せしめた状態において、鍼先が前記鍼管の内側に位置し、前記ブリスタに当接しない状態としたことを特徴とする請求項１から４のいずれか１項に記載の鍼および鍼管の包装構造体。
【請求項６】
前記鍼柄の一部に、前記ブリスタの鍼柄挟持くびれ内径よりも大きく、前記鍼管の内径より小さい径を持つ突起を設け、前記鍼柄の突起の下方部分において前記鍼柄を前記ブリスタの鍼柄挟持くびれに挟持せしめた状態としたことを特徴とする請求項１から５のいずれか１項に記載の鍼および鍼管の包装構造体。
【請求項７】
前記鍼柄の一部に複数のかしめを設け、前記かしめの膨らんだ幅が前記ブリスタの鍼柄挟持くびれ内径よりも大きく、前記鍼管の内径より小さい径であり、前記鍼柄の軸に対する前記かしめを設ける方向を前記かしめ同士で異なるものとしたことを特徴とする請求項１から６のいずれか１項に記載の鍼および鍼管の包装構造体。
【請求項８】
前記ブリスタの窪みにおいて、前記鍼管の側面部分が収まる部分の内径の一部に前記鍼管の外径に対応した鍼管挟持くびれを設け、前記ブリスタの鍼管挟持くびれに前記鍼管を嵌合して挟持せしめたことを特徴とする請求項１から７のいずれか１項に記載の鍼および鍼管の包装構造体。
【請求項９】
前記ブリスタの鍼管挟持くびれ形状が、少なくとも１個のボトルネック型の絞り形状であることを特徴とする請求項１から８のいずれか１項に記載の鍼および鍼管の包装構造体。
【請求項１０】
前記ブリスタの鍼管挟持くびれ形状が波型形状であり、左側の波型と右側の波型の位相が略同位相であり左側の波型において左側に山がある位置において、右側の波型において左側に山があり、左側の波型において右側に山がある位置において、右側の波型において右側に山があり、前記鍼管の側面を両側から少なくとも３点の山で支える形状であることを特徴とする請求項１に記載の鍼および鍼管の包装構造体。
【請求項１１】
前記鍼柄が上で前記鍼先が下を天地方向と見たときに、前記天地方向を逆さまにしてパッケージングすることを特徴とした請求項１から１０のいずれか１項に記載の鍼および鍼管の包装構造体。
【発明の詳細な説明】
【技術分野】
【０００１】
本発明は、鍼および鍼管の包装構造体に関する。特に、簡単な構造にて鍼および鍼管がブリスタ内で遊ばずに固定され、かつ、施術の際に簡単に鍼および鍼管をブリスタから取り出してそのまま管鍼法にて鍼を打つことができる鍼および鍼管の包装構造体に関する。
【背景技術】
【０００２】
鍼を患者に刺入するために用いる技法として管鍼法が用いられることが多い。管鍼法は鍼管を補助具として用い、あらかじめ鍼を挿入した鍼管を患者のつぼにあて、鍼管の頭部から出ている鍼柄頭部を軽く押すことによって、鍼先端を皮膚に刺入し、その後鍼管を取り去り、鍼を指の間にはさみ立てた状態で、さらに必要な深さまで刺入する。
従来は鍼及び鍼管はともに再使用されていた。しかし、現在は衛生上の問題および利便性の観点から、鍼を鍼管にセットした状態で個別にブリスタ内に密封包装した滅菌済みの使い捨て鍼が主流である。
【０００３】
従来の一般的な鍼および鍼管の包装構造体を説明する。
図２１左側は鍼と鍼管と止めクリップを分離した状態を示し、図２１右側は鍼と鍼管と止めクリップを組み合わせた状態を示す図である。
鍼１は鍼体２と鍼柄３とからなっており、ある程度弾性力を備えた滅菌鋼材が用いられている。鍼柄３は施術者が指でつまむ持ち手となる。
鍼管４は鍼１を保護する役目と鍼１を挿入するためのガイドとなる。鍼管４はその内径が鍼体２および鍼柄３の外径よりも大きく、鍼１が十分な遊びをもって鍼管４の内側を滑り通るサイズとなっている。つまり、鍼１と鍼管４は独立し合っており、そのままでは鍼１は鍼管４内に保持しておくことはできない。後述するようにブリスタ内に包装するので鍼１が自由に動いてしまうと鍼先を傷めたり、ブリスタを突き破ったりして危険である。そこで止めクリップ５が用いられる。
【０００４】
止めクリップ５は例えば硬質塩化ビニル等の樹脂製のものであり、鍼１が鍼管４の中に挿入された状態で鍼が抜け落ちたり動いたりしないように一時的に止めるものである。止めクリップ５の下先端は鍼管４の内径よりも小さく、上先端は鍼管４の内径よりも大きくなっており、テーパーを持ち、鍼管４の中に下先端から突っ込むとテーパー部分により鍼管４の上端で引っ掛かるようになっている。またある程度の肉厚を持っている。図２１右側のように、鍼１は鍼柄３の半分ほどの長さが鍼管４の上端から突出した状態で、止めクリップ５の下先端を鍼管４の内側に突っ込み入れ、鍼柄３を鍼管４の内壁と止めクリップ５の間で挟持することにより一時的に鍼１を固定する。この図２１右側の状態、つまり、鍼１が鍼管４の中にあらかじめ挿入されて止めクリップで止められた状態で包装される。
【０００５】
図２２は、従来の鍼および鍼管の包装構造体を示す図である。左側が正面図、右側が左側面図である。図２２に示したように、鍼１、鍼管４、止めクリップ５が組み合わされている状態は図２１右側に示したものと同じ状態である。この組み合わせ状態の鍼１および鍼管４がブリスタ６内に滅菌封入されている。ブリスタ６は裏側が前面開口された窪みを有しており、この窪みに鍼１および鍼管４が収められ、裏側から台紙７が貼り付けられて密封される。
【０００６】
使用に当たっては、まず、図２３に示すように、台紙７をめくり、ブリスタ６の裏側の開口から鍼１および鍼管４を取り出す。この状態ではクリップ６により鍼柄３が挟持されているので鍼１が鍼管４から抜け落ちる心配はない。
【０００７】
次に、止めクリップ５を取り外して鍼１の挟持状態を開放する。鍼１は鍼管４内で十分な遊びがあり鍼管４内を簡単に通り抜けてしまう状態にあるので、指で鍼管４と鍼柄３を併せ持ち、鍼１と鍼管４を保持する。そして、鍼管の下端を施術部位となる患者の皮膚に当接させ、その後は従来通りの方法で鍼１を皮膚に刺入する。
【０００８】
ここで、鍼治療は患者に対して何十本も施術する必要があるところ、止めクリップ５の処理により施術の流れが止まってしまう問題がある。まず、止めクリップを一つ一つ取り外す手間がいる。さらに、ゴミ箱に投入する手間もいる。もし床に落としたりすると衛生面を考えると施術が終わるまでは拾い上げることもできず不便である。
【０００９】
このような不便さを解消するため、特許文献１および特許文献２が考案されている。
特許文献１は、棒状鍼柄の先端部に鍼体を埋設した鍼本体と、鍼本体を挿通自在とした挿通孔を備える鍼管とから成る鍼管付き鍼において、鍼柄の先端部に大径部を設け、鍼管の挿通孔を内径が鍼柄の大径部の外径より僅かに小径とした第１挿通部と、内径が鍼柄の大径部の外径より大径とした第２挿通部とで構成し、鍼柄の長さを挿通孔の第１挿通部の長さより長いものとして、鍼本体を鍼柄側から鍼管の第２挿通部に挿入した際、鍼管から突出する鍼柄の尾部を引出し鍼柄の大径部を挿通孔の第１挿通部に挿入して保持させるようにしたことを特徴とするものである。
特許文献１の考案によれば、従来のように固定部材を用いなくても鍼柄の大径部を第１挿通部に挿入保持出来ると共に、鍼柄を鍼管より突出させることが出来るため、鍼本体が鍼管より途中で抜け落ちることなく本考案品を人体の所定位置に容易にかつ確実に載置出来、更に鍼管より突出状態の鍼柄を押圧するのみで鍼体の鍼先を肌に確実に刺すことが可能になる。
【００１０】
特許文献２の鍼術用鍼は、把部を取付けた鍼体を、両端を開口した芯管に挿入し、芯管の両端を弾性薄板で塞ぎ、一方の弾性薄板には、切割りまたは小孔を設けて、端部を芯管外に出してこれに挿通した把部を弾力的に且つ気密に保持させて成ることを特徴とするものである。
特許文献２の考案によれば、使用時に芯管と把部とを捩って両者の結合を解く操作が不要になり、施術者は治療に専念できる。
【００１１】
【特許文献１】実公平３−９７３７号
【特許文献２】実公平３−１６６７５号
【発明の開示】
【発明が解決しようとする課題】
【００１２】
しかしながら、特許文献１の針管付き鍼は、鍼柄先端の大径部を第１挿通部で保持する構成のため、第１挿通部における大径部の位置決めが問題となる。すなわち、第１挿通部における大径部の位置が第２挿通部に近くなりすぎれば、取り扱い時に鍼が抜け落ちる危険性があるが、その一方、第２挿通部から距離を離しすぎれば、施術時に大径部を第２挿通部に到達させるために鍼柄頭部に加える力が大きくなる。鍼柄頭部に加える力が大きくなれば、鍼柄と鍼管の掛止が解かれた際に鍼管先端から出る鍼の勢いも大きくなるため、切皮の際の痛みが増大する。
【００１３】
特許文献２の鍼術用鍼においても、弾性薄板の切割りまたは小孔で保持させる鍼柄（把部）の位置決めに際し、上記と同様の問題がある。
本発明は、前記従来技術の問題点を解決することを目的とし、保持時において鍼を鍼管に保持しつつ確実に鍼を鍼管内に固定することができるとともに、施術時はスムーズに鍼および鍼管を容易に取り出し、かつ、小片の廃棄物も生じない鍼および鍼管の包装構造体を提供することを目的とする。
【課題を解決するための手段】
【００１４】
上記目的を達成するために、本発明の鍼および鍼管の包装構造体は、
鍼体と鍼柄を備えた鍼と、
前記鍼が通過可能な内径を備えた筒状の鍼管と、
前記鍼柄の一部を前記鍼管上端から出した状態で前記鍼管を前記鍼に外装装着した組み合わせ状態において、前記鍼と鍼管の組み合わせ状態のまま収めることができる窪みを備えたブリスタと、前記ブリスタの裏面を封止する台紙を備えた鍼および鍼管の包装構造体において、
前記ブリスタの窪みにおいて、前記鍼管上端から出ている鍼柄が収まる部分の内径の一部を前記鍼柄の外径に対応した鍼柄挟持くびれを設け、前記ブリスタの鍼柄挟持くびれに前記鍼柄を嵌合して挟持せしめたことを特徴とする。
【００１５】
上記構成により、鍼柄をブリスタの鍼柄挟持くびれとは容易に脱着でき、包装時には鍼をしっかりとブリスタに固定して鍼が安定してうごかず、取り出し時には鍼柄をブリスタの鍼柄挟持くびれから外して取り出せば鍼が鍼管内を自由に導通しうる施術可能な状態とすることができる。なお、取り出し時は鍼管と鍼柄を併せて指でつまんで取り出せば誤って鍼が鍼管から抜け落ちることはない。
【００１６】
なお、前記ブリスタの鍼柄挟持くびれ形状には様々なパターンがありえる。  例えば、前記ブリスタの鍼柄挟持くびれ形状として、少なくとも１個のボトルネック型の絞り形状とする構成がある。
上記構成により、少なくとも１個のボトルネック型の絞り形状によりしっかりと左右から挟持することができる。
また、例えば、前記ブリスタの鍼柄挟持くびれ形状が波型形状であり、左側の波型と右側の波型の位相が略同位相であり、左側の波型において左側に山がある位置において右側の波型において左側に山があり、左側の波型において右側に山がある位置において右側の波型において右側に山があり、前記鍼柄の側面を両側から少なくとも３点の山で支える形状とする構成がある。
上記構成により、波型形状であれば、左右交互に並んだ少なくとも３つの山によりしっかりと左右から挟持することができる。ボトルネック型であれば左右両側から山と山が挟みこんで挟持するため、山を支点として鍼体が左右にぶれるおそれがあるが、波型であれば左右交互に並んだ少なくとも３つの山により挟持するため鍼体が左右にぶれるおそれがない。
【００１７】
次に、上記構成において、前記ブリスタに、前方向に屈曲するきっかけとなる溝状の折り目を設けることが好ましい。
上記構成により、鍼および鍼管を取り出す時において、ブリスタ裏の台紙を裏面側にめくるとともにブリスタを溝状の折り目において正面側に折り曲げることにより、包装構造体の上方から鍼および鍼管を取り出しやすくなる。
【００１８】
次に、上記構成において、前記鍼柄を前記ブリスタの鍼柄挟持くびれに挟持せしめた状態において、鍼先が前記鍼管の内側に位置し、前記ブリスタに当接しない状態としたことが好ましい。
上記構成により、鍼および鍼管をブリスタ内に包装した状態において、鍼先を傷めないようにすることができ、さらに、鍼先がブリスタを突き破ることもなく誤って鍼先が指に刺さるなどの危険性もなくなる。
【００１９】
次に、上記構成において、前記鍼柄の一部に、前記ブリスタの鍼柄挟持くびれ内径よりも大きく、前記鍼管の内径より小さい径を持つ突起を設け、前記鍼柄の突起の下方部分において前記鍼柄を前記ブリスタの鍼柄挟持くびれに挟持せしめた状態とすることが好ましい。
上記構成により、本来はブリスタの鍼柄挟持くびれにより鍼柄がしっかりと挟持され固定されているが、もし、ブリスタの鍼柄挟持くびれ径のばらつきや鍼柄の外径のばらつきなどがあっても、ブリスタの鍼柄挟持くびれの上に鍼柄の突起が位置するので鍼が下方向にずれ落ちることはなくなる。
【００２０】
さらに、前記鍼柄の一部に複数のかしめを設け、前記かしめの膨らんだ幅が前記ブリスタの鍼柄挟持くびれ内径よりも大きく、前記鍼管の内径より小さい径であり、前記鍼柄の軸に対する前記かしめを設ける方向を前記かしめ同士で異なるものとすることが好ましい。
【００２１】
ここで、かしめは鍼体と鍼柄を圧着するために設けられるものであるが、その外形はかしめた方向に凹み、横方向に膨らむものであるところ、この膨らみを利用することも可能である。この膨らみ方向の鍼柄の径がブリスタの鍼柄挟持くびれ内径よりも大きく鍼管内径よりも小さければ上記の鍼柄の突起と同様の役目を担わせることができる。ただし、かしめはかしめた方向には凹みを持っているので凹み方向の鍼柄の径は前記ブリスタの鍼柄挟持くびれ内径よりもかえって小さいため上記の鍼柄の突起と同様の役目を担わせることができない。そこで、鍼柄の一部に複数のかしめを設け、鍼柄の軸に対するかしめを設ける方向をかしめ同士で異なるものとしておけば、包装状態において偶然にブリスタの鍼柄挟持くびれで挟持する方向が一のかしめの凹み方向であったとしても他のかしめでは凹み方向は鍼柄の軸に対して異なる方向に設けられているので他のかしめの膨らみがブリスタの鍼柄挟持くびれより上に位置するので鍼が下方向にずれ落ちることはなくなる。
【００２２】
次に、上記構成において、鍼柄のみならず鍼管に対するブリスタ構造を設けることも可能である。
つまり、上記構成の前記ブリスタの窪みにおいて、前記鍼管の側面部分が収まる部分の内径の一部に前記鍼管の外径に対応した鍼管挟持くびれを設け、前記ブリスタの鍼管挟持くびれに前記鍼管を嵌合して挟持せしめたことを特徴とする。
【００２３】
なお、前記ブリスタの鍼管挟持くびれ形状には様々なパターンがありえる。
例えば、前記ブリスタの鍼管挟持くびれ形状として、少なくとも１個のボトルネック型の絞り形状とする構成がある。
上記構成により、少なくとも１個のボトルネック型の絞り形状により鍼管をしっかりと左右から挟持することができる。
また、例えば、前記ブリスタの鍼管挟持くびれ形状が波型形状であり、左側の波型と右側の波型の位相が略同位相であり左側の波型において左側に山がある位置において、右側の波型において左側に山があり、左側の波型において右側に山がある位置において、右側の波型において右側に山があり、前記鍼管の側面を両側から少なくとも３点の山で支える形状とする構成がある。
上記構成により、左右交互に並んだ少なくとも３つの山によりしっかりと左右から鍼管を挟持することができる。ボトルネック型であれば左右両側から山と山が挟みこんで挟持するため、山を支点として鍼管全体が左右にぶれるおそれがあるが、波型であれば左右交互に並んだ少なくとも３つの山により挟持するため鍼管全体が左右にぶれるおそれがない。
【００２４】
なお、本発明の鍼および鍼管の包装構造体をパッケージする際には、前記鍼柄が上で前記鍼先が下を天地方向と見たときに、前記天地方向を逆さまにしてパッケージングすることが好ましい。
上記構成とした場合には、何らかの力がかかり、万が一、鍼柄とブリスタの鍼柄挟持くびれの嵌合が外れて鍼がずれて動いた場合でも、鍼先がブリスタに当接したり突き破ったりする危険性がなくなる。
【発明の効果】
【００２５】
本発明の鍼および鍼管の包装構造体によれば、従来のような止めクリップのような付属補助品を必要とせず、止めクリップを外し、ゴミ箱に捨てるという手間を省け、かつ、鍼および鍼管をブリスタから容易に脱着できる。また、包装時には鍼をしっかりとブリスタに固定して鍼が安定してうごかず、取り出し時には鍼柄をブリスタの鍼柄挟持くびれから外して取り出せば鍼が鍼管内を自由に導通しうる施術可能な状態とすることができ、施術の動作の流れをスムーズにすることができる。
【発明を実施するための最良の形態】
【００２６】
以下、本発明を実施するための最良の形態について実施例により具体的に説明する。なお、本発明の技術的思想の範囲はこれらの実施例の具体的な形状や数値に限定されるものではない。
【実施例１】
【００２７】
図１は、本発明の実施例１にかかる鍼および鍼管の包装構造体の基本構成を模式的に示した図である。
図１左側は鍼と鍼管を分離した状態を示し、図１右側は鍼と鍼管を組み合わせた状態を示す図である。
鍼１０１は鍼体１０２と鍼柄１０３を備え、ある程度弾性力を備えた鋼線材が用いられている。鍼柄１０３は施術者が指でつまむ持ち手となる。
鍼管１０４は鍼１０１を保護する役目と鍼１０１を挿入するためのガイドとなる。鍼管１０４はその内径が鍼体１０２および鍼柄１０３の外径よりも大きく、鍼１０１が十分な遊びをもって鍼管１０４の内側を滑り通るサイズとなっており、鍼１０１と鍼管１０４は独立し合っている。
【００２８】
図１に示すように、鍼１０１と鍼管１０４を組み合わせた状態において、鍼柄１０３の一部を鍼管１０４上端から出した状態で鍼管１０４を鍼１０１に外装装着した状態となっている。
【００２９】
図２は、実施例１にかかる鍼および鍼管の包装構造体を示す図である。左側が正面図、右側が左側面図である。図２に示したように、鍼１０１、鍼管１０４が組み合わされている状態は図１右側に示したものと同じ状態である。この組み合わせ状態の鍼１０１および鍼管１０４がブリスタ１０６内に滅菌封入されている。
ブリスタ１０６は裏側が前面開口された窪みを有しており、鍼１０１と鍼管１０４を図１に示した組み合わせ状態のまま収めることができる。ブリスタの素材は限定されないがプラスチックや塩化ビニルなどのある程度柔らかく無色透明の素材とする。
台紙１０７は、ブリスタ１０６の裏面を封止するものであり、ブリスタ１０６の窪みに鍼１０１および鍼管１０４が収められ、裏側から台紙１０７が貼り付けられて密封される。
【００３０】
ブリスタ１０６には鍼柄挟持くびれ１０５が設けられている。ブリスタの鍼柄挟持くびれ形状には様々なパターンがありえる。図２に示したブリスタの鍼柄挟持くびれ形状は１個のボトルネック型の絞り形状とする構成である。
この鍼柄挟持くびれ１０５は、鍼管１０４上端から出ている鍼柄１０３が収まる部分に設けられており、その内径は鍼柄１０３の外径に対応した径となっており、ブリスタの鍼柄挟持くびれ１０５の内壁と鍼柄１０３の外壁とを嵌合し合って挟持せしめるものとなっている。ブリスタの鍼柄挟持くびれ１０５の内径が鍼柄１０３の外径よりも小さすぎると鍼柄１０３がうまくブリスタの鍼柄挟持くびれ１０５に挿入することができず、一方、ブリスタの鍼柄挟持くびれ１０５の内径が鍼柄１０３の外径と同一であると鍼柄１０３はブリスタの鍼柄挟持くびれ１０５に嵌るもののしっかりと挟持するほどの圧力が発生せずに鍼１０１がずれて動いてしまうおそれがある。そこで、ブリスタの鍼柄挟持くびれ１０５の内径が鍼柄１０３の外径よりわずかに小さいものとする。どの程度小さくするかはブリスタの可撓性の大きさ、鍼柄１０３の形状に応じて設計しておけば良い。
【００３１】
なお、図３に示すように、鍼管１０４もブリスタの鍼柄挟持くびれ１０５により上方向に移動するのが制限されるのでブリスタの窪み内で過度に遊ぶことがなくなる。
また、図３に示すように、鍼柄１０３をブリスタの鍼柄挟持くびれ１０５に挟持せしめた状態において、鍼体１の鍼先が鍼管１０４の内側に位置し、ブリスタ１０６に当接しない状態となっている。
このように、鍼１０１および鍼管１０４をブリスタ１０６内に包装した状態において、鍼先を傷めないようにすることができ、さらに、鍼先がブリスタ１０６を突き破ることもなく誤って鍼先が指に刺さるなどの危険性もなくなる。
【００３２】
ブリスタの鍼柄挟持くびれ形状には様々なパターンがありえる。図２にかかるブリスタの鍼柄挟持くびれ形状は１個のボトルネック型の絞り形状であったが、２個のボトルネック型の絞り形状とすることができる。図４はブリスタの鍼柄挟持くびれ形状が２個のボトルネック型の絞り形状とした例である。図４の構成例ではブリスタの鍼柄挟持くびれ形状１０５ａ、ブリスタの鍼柄挟持くびれ形状１０５ｂの２個のボトルネック型の絞り形状を備えている。
【００３３】
なお、図５（ａ）に示すように鍼柄挟持くびれ形状１０５が１個であれば当該鍼柄挟持くびれ形状１０５を支点として鍼柄が左右にぶれるおそれがあるが、図５（ｂ）に示すように鍼柄挟持くびれ形状が２個であれば、ブリスタの鍼柄挟持くびれ形状１０５ａおよび１０５ｂで鍼柄１０３を左右から挟持することにより鍼柄が左右にぶれることがなくなるというメリットが得られる。
【００３４】
以上、実施例１に示した鍼および鍼管の包装構造体によれば、鍼柄１０３をブリスタの鍼柄挟持くびれ１０５から容易に脱着でき、包装時には鍼１０１をしっかりとブリスタ１０６に固定して鍼１０１が安定してうごかず、取り出し時には鍼柄１０３をブリスタの鍼柄挟持くびれ１０５から外して取り出せば鍼が鍼管１０４内を自由に導通しうる施術可能な状態とすることができる。なお、取り出し時は鍼管１０１と鍼柄１０３を併せて指でつまんで取り出せば誤って鍼１０１が鍼管１０４から抜け落ちることはない。
【実施例２】
【００３５】
図６は、本発明の実施例２にかかる鍼および鍼管の包装構造体の基本構成を模式的に示した図である。実施例２にかかる鍼および鍼管の包装構造体は、実施例１に示した鍼および鍼管の包装構造体のブリスタに対して前方向に屈曲するきっかけとなる溝状の折り目を設けた工夫をしている。図６に示すように、ブリスタ１０６には溝状の折り目１１０が設けられている。
【００３６】
実施例２にかかる鍼および鍼管の包装構造体を用いた場合の施術の手順は例えば以下のようになる。
まず、図７左側に示すように、台紙１０７を裏側からブリスタの溝状の折り目１１０よりも下側までめくる。この段階では鍼柄１０３はまだブリスタの鍼柄挟持くびれ１０５に挟持された状態のままである。
【００３７】
次に、図７右側に示すようにブリスタ１０６を前方向（正面方向）に倒し、溝状の折り目１１０に沿って折る。溝状の折り目１１０があるためこの折り目１１０を起点として折れ曲がりやすくなっており、ブリスタ１０６を前方向に倒すだけで容易に溝状の折り目１１０に沿って折れる。
この時、ブリスタの鍼柄挟持くびれ１０５に嵌合されて固定されていた鍼柄１０３が、ブリスタ１０６から開放される。
ここで、図７右側に示したように、鍼柄１０３と鍼管１０４を同時につまみ、両者をそのまま引き上げてブリスタ１０６内から取り出す。この鍼柄１０３と鍼管１０４を同時につまんだ状態ならばそのまま患者に鍼１０１を打つ施術に移行することができ、上記の手順によりスムーズに鍼１０１と鍼管１０４の取り出しと施術を行うことができる。
【００３８】
以上、実施例２に示した鍼および鍼管の包装構造体によれば、ブリスタ１０６を溝状の折り目１１０において正面側に折り曲げることにより、包装構造体の上方から鍼１０１および鍼管１０４を取り出しやすくなる。
【実施例３】
【００３９】
実施例３にかかる鍼および鍼管の包装構造体は、実施例１に示した鍼の鍼柄の一部に突起を設け、突起の下方部分において鍼柄をブリスタの鍼柄挟持くびれに挟持せしめた状態とする工夫を施したものである。
【００４０】
図８は、本発明の実施例３にかかる鍼および鍼管の基本構成を模式的に示した図である。
図８左側に示すように、実施例３にかかる鍼１０１ａは鍼体１０２ａと鍼柄１０３ａを備え、鍼柄１０３ａの一部に突起１２０が設けられている。この突起１２０の径は、図９に示すように、ブリスタ１０６の鍼柄挟持くびれ内径よりも大きく、鍼管１０４の内径より小さい径となっている。突起１２０は鍼管１０４の内径より小さいので、後述するように施術時には鍼１０１ａが遊びをもって鍼管１０４の内側を滑り通ることができるものとなっている。
図８に示すように、鍼１０１ａと鍼管１０４を組み合わせた状態において、鍼柄１０３ａの一部および突起１２０を鍼管１０４上端から出した状態で鍼管１０４を鍼１０１ａに外装装着した状態となっている。
【００４１】
図９は、実施例３にかかる鍼１０１ａおよび鍼管１０４の包装構造体を示す図である。左側が正面図、右側が左側面図である。図９に示したように、鍼１０１ａ、鍼管１０４が組み合わされている状態は図８右側に示したものと同じ状態である。この組み合わせ状態の鍼１０１ａおよび鍼管１０４がブリスタ１０６内に滅菌封入されている。ブリスタ１０６および台紙１０７は実施例１に示したものと同様で良い。
【００４２】
ブリスタの鍼柄挟持くびれ１０５は、鍼管１０４上端から出ている鍼柄１０３が収まる部分に設けられており、その内径は鍼柄１０３の外径よりもわずかに小さくなっており、ブリスタの鍼柄挟持くびれ１０５の内壁と鍼柄１０３の外壁とを嵌合し合って挟持せしめるものである。
実施例３では図１０に示すように、鍼柄の突起１２０がブリスタの鍼柄挟持くびれ１０５の上に位置しており、この突起１２０の外径がブリスタの鍼柄挟持くびれ１０５の内径より大きいものとなっているために、何らかの力がかかり、鍼１０１ａが下方向にずれた場合でも移動が制限されるものとなっている。
つまり、実施例３のブリスタ１０６の窪みおよびブリスタの鍼柄挟持くびれ１０５により、鍼管１０４の上下方向の移動も制限され、鍼１０１ａが何らかの事情でブリスタの鍼柄挟持くびれ１０５との嵌合が外れた場合もあっても上下方向の移動が制限される構造となっている。
【００４３】
以上、実施例３に示した鍼および鍼管の包装構造体によれば、本来はブリスタの鍼柄挟持くびれにより鍼柄がしっかりと挟持され固定されているが、もし、ブリスタの鍼柄挟持くびれ径のばらつきや鍼柄の外径のばらつきなどがあっても、ブリスタの鍼柄挟持くびれの上に鍼柄の突起が位置するので鍼が下方向にずれ落ちることはなくなる。
【実施例４】
【００４４】
実施例４にかかる鍼および鍼管の包装構造体は、実施例１に示した鍼の鍼柄の一部にかしめを複数個設け、かしめの下方部分において鍼柄をブリスタの鍼柄挟持くびれに挟持せしめた状態とする工夫を施したものである。
【００４５】
図１１は、本発明の実施例４にかかる鍼１０１ｂの基本構成を模式的に示した図である。図１２は本発明の実施例４にかかる鍼１０１ｂを鍼管１０４に外装した基本構成を模式的に示した図である。
図１１に示すように、実施例４にかかる鍼１０１ｂは鍼体１０２ｂと鍼柄１０３ｂを備え、鍼柄１０３ｂの一部に２つのかしめ１３０ａ，１３０ｂが設けられている。かしめは鍼体と鍼柄を圧着するために設けられるものであり、その外形はかしめた方向に凹み、横方向に膨らんでいる。実施例４にかかるかしめ１３０の膨らんだ幅はブリスタの鍼柄挟持くびれ１０５の内径よりも大きく、鍼管１０４の内径より小さい径となっている。実施例４ではこのかしめの膨らみを利用し、実施例３の鍼柄の突起１２０と同様の役目を担わせる。つまり、取り付け時にはブリスタの鍼柄挟持くびれ１０５により鍼１０１ｂの下側への移動が制限されるものとなり、施術時には鍼１０１ｂが遊びをもって鍼管１０４の内側を滑り通ることができる。
【００４６】
ここで、鍼柄１０３ｂの軸に対するかしめ１３０を設ける方向をかしめ１３０同士で異なるものとする工夫をする。かしめ１３０はかしめた方向には凹みを持っているので凹み方向の鍼柄１０３ｂの径はブリスタの鍼柄挟持くびれ１０５の内径よりもかえって小さいため、ブリスタにおける保持状態でブリスタの鍼柄挟持くびれ１０５がかしめの凹み部分に位置していると、ブリスタの鍼柄挟持くびれ１０５をかしめが通過してしまい、実施例３の突起１２０と同様の役目を担わせることができない。その一方、鍼１０１ｂのブリスタ１０６への取り付け方向を正確に揃えることは手間でありコストが嵩む。
【００４７】
そこで、図１１および図１２に示すように、かしめを複数個設け、さらに、鍼１０１ｂのブリスタ１０６への取り付け方向がどの方向でも少なくとも一つのかしめが、ブリスタの鍼柄挟持くびれ１０５の挟持する方向がかしめの凹み方向とならないように、かしめを設ける方向をずらしておく工夫を加えておく。例えば、図１１および図１２に示すように、鍼柄の一部に、凹み方向が９０度ずれるようにかしめ１３０ａとかしめ１３０ｂを設けておく。
【００４８】
図１３および図１４は、鍼１０１ａおよび鍼管１０４の包装構造体を示す図である。左側が正面図、右側が左側面図である。ブリスタ１０６および台紙１０７は実施例１に示したものと同様で良い。
図１３および図１４の左側に示すように、ブリスタ１０６への包装状態において下側のかしめ１３０ｂの膨らみによりブリスタの鍼柄挟持くびれ１０５の通過が制限される場合はその位置で下方向への移動が制限される。また、図１３および図１４の右側に示すように、下側のかしめ１３０ｂの凹み方向が偶然にブリスタの鍼柄挟持くびれ１０５で挟持する方向であったとしてもかしめ１３０ａでは９０度ずれて膨らみがあることとなりブリスタの鍼柄挟持くびれ１０５の通過が制限され、下方向にずれ落ちることはなくなる。
【００４９】
以上、実施例４に示した鍼および鍼管の包装構造体によれば、本来はブリスタの鍼柄挟持くびれにより鍼柄がしっかりと挟持され固定されているが、もし、ブリスタの鍼柄挟持くびれ径のばらつきや鍼柄の外径のばらつきなどがあっても、ブリスタの鍼柄挟持くびれの上に鍼柄のかしめが位置するので鍼が下方向にずれ落ちることはなくなる。
【実施例５】
【００５０】
実施例５にかかる鍼および鍼管の包装構造体は、ブリスタの鍼柄挟持くびれ形状として実施例１の形状とは異なる他の形状とした例である。例えば、前記ブリスタの鍼柄挟持くびれ形状が波型形状とした構成がある。ここで、波型形状はブリスタの窪みの両サイドに設けられているが、左側の波型と右側の波型の位相が略同位相とする。つまり、左側の波型において左側に山がある位置において、右側の波型において左側に山があり、左側の波型において右側に山がある位置において、右側の波型において右側に山があるように構成する。
【００５１】
図１５は実施例５にかかる鍼および鍼管の包装構造体を模式的に示したものである。図１５に示すように、左側の波型において右側に山があるブリスタの鍼柄挟持くびれ１０５ａの位置において右側の波型において右側に山があるブリスタの鍼柄挟持くびれ１０５ｂがある。また、左側の波型において左側に山があるブリスタの鍼柄挟持くびれ１０５ｃの位置において右側の波型において左側に山があるブリスタの鍼柄挟持くびれ１０５ｄがある。同様に、左側の波型において右側に山があるブリスタの鍼柄挟持くびれ１０５ｅの位置において右側の波型において右側に山があるブリスタの鍼柄挟持くびれ１０５ｆがある。
【００５２】
このように左側の波型と右側の波型の位相が略同位相であれば、鍼柄の側面を両側から左右交互に並んだ少なくとも３つの山によりしっかりと挟持することができる。図１６に示したように１個のボトルネック型のくびれ形状１０５であれば山を支点として鍼体が左右にぶれるおそれがあるが、波型であれば左右交互に並んだ少なくとも３つの山により挟持されるので、鍼体が左右にぶれるおそれがない。
【００５３】
図１７は、図１５の波型形状の波数の山を１つずつ増やした構成例である。
図１７の構成例では、図１５に示した、鍼柄挟持くびれ１０５ａ、１０５ｂ、１０５ｃ、１０５ｄ、１０５ｅ、１０５ｆに加え、左側の波型において左側に山があるブリスタの鍼柄挟持くびれ１０５ｇの位置において右側の波型において左側に山があるブリスタの鍼柄挟持くびれ１０５ｈがある。同様に、左側の波型において右側に山があるブリスタの鍼柄挟持くびれ１０５ｉの位置において右側の波型において右側に山があるブリスタの鍼柄挟持くびれ１０５ｊがある。
【００５４】
図１７の構成例の場合、図１８に示したように左右交互に並んだ５つの山により挟持されるので、鍼体が左右にぶれるおそれがない。
【実施例６】
【００５５】
実施例６にかかる鍼および鍼管の包装構造体は、ブリスタの窪みにおいて鍼管を挟持するための鍼管挟持くびれ形状を設け、鍼管をしっかりと挟持する構成例である。
【００５６】
図１９に示すように、実施例６にかかる鍼および鍼管の包装構造体を示す図である。左側が正面図、右側が左側面図である。鍼１０１、鍼体１０２、鍼柄１０３、鍼管１０４、鍼柄挟持くびれ１０５、ブリスタ１０６、台紙１０７は実施例１に示したものと同じものである。
【００５７】
実施例６にかかるブリスタ１０６には、鍼柄挟持くびれ１０５に加え、鍼管挟持くびれ１０８が設けられている。
図２０に示すように、ブリスタ１０６に設けられた鍼管挟持くびれ１０８により鍼管１０４をしっかりと挟持することができ、鍼管１０４をブリスタ１０６に対して固定することができる。
【００５８】
このブリスタの鍼管挟持くびれ１０８の形状には様々なパターンがありえる。図１９に示したブリスタの鍼管挟持くびれ形状１０８は１個のボトルネック型の絞り形状とする構成である。
この鍼柄挟持くびれ１０８の内径は、鍼管１０４の外径に対応した径となっている。この鍼柄挟持くびれ１０８により鍼管１０４を嵌合して挟持せしめる。
【００５９】
なお、この鍼柄挟持くびれ１０８には様々なパターンがありえる。実施例５と同様、例えば、ブリスタの鍼管挟持くびれ形状１０８が波型形状であり、左側の波型と右側の波型の位相が略同位相であり左側の波型において左側に山がある位置において、右側の波型において左側に山があり、左側の波型において右側に山がある位置において、右側の波型において右側に山があり、前記鍼管の側面を両側から少なくとも３点の山で支える形状とする構成が可能である。
【００６０】
左右交互に並んだ少なくとも３つの山によりしっかりと左右から鍼管を挟持することができる。ボトルネック型であれば左右両側から山と山が挟みこんで挟持するため、山を支点として鍼管全体が左右にぶれるおそれがあるが、波型であれば左右交互に並んだ少なくとも３つの山により挟持するため鍼管全体が左右にぶれるおそれがない。
【実施例７】
【００６１】
次に、本発明の実施例７の鍼および鍼管の包装構造体のパッケージングの工夫について述べる。パッケージングの工夫として通常想定される天地を逆にしてパッケージングする。
【００６２】
通常、鍼柄が上で鍼体の鍼先が下を天地方向となっており、従来はこの天地方向のままに天地をとってパッケージングし、保持・保管していた。この天地方向にて保持・保管した場合、何らかの力がかかり鍼がずれ動いた場合、鍼先がブリスタに当接したりブリスタを突き破ったりして鍼先が傷む場合があり得る。
【００６３】
そこで、実施例７の鍼および鍼管の包装構造体は、パッケージングの際に、鍼柄が上で鍼体の鍼先が下を天地方向とした場合に、天地方向を逆さまにしてパッケージングする工夫を施す。このように天地方向を逆にパッケージングすることにより、何らかの力がかかり、万が一、鍼柄とブリスタの鍼柄挟持くびれの嵌合が外れて鍼がずれて動いた場合でも、鍼先がブリスタに当接したり突き破ったりする危険性がなくなる。
【００６４】
以上、本発明の鍼および鍼管の包装構造体における好ましい実施形態を図示して説明してきたが、本発明の技術的範囲を逸脱することなく種々の変更が可能であることは理解されるであろう。
【産業上の利用可能性】
【００６５】
本発明の鍼および鍼管の包装構造体は、広く、管鍼法に用いる鍼および鍼管の包装構造体に適用される。
【図面の簡単な説明】
【００６６】
【図１】本発明の実施例１にかかる鍼および鍼管の包装構造体の基本構成を模式的に示した図
【図２】本発明の実施例１にかかる鍼および鍼管の包装構造体を示す図
【図３】鍼管がブリスタの鍼柄挟持くびれにより上方向に移動するのが制限される様子を説明した図
【図４】ブリスタの鍼柄挟持くびれ形状が２個のボトルネック型の絞り形状とした例を示す図
【図５】鍼柄挟持くびれ形状１０５のボトルネック型の絞り形状の数と鍼柄のぶれとの関係を示す図
【図６】本発明の実施例２にかかる鍼および鍼管の包装構造体の基本構成を模式的に示した図
【図７】ブリスタの上端を前方向に折り曲げた様子を示す図
【図８】本発明の実施例３にかかる鍼および鍼管の包装構造体の基本構成を模式的に示した図
【図９】実施例３にかかる鍼１０１ａおよび鍼管１０４の包装構造体を示す図
【図１０】鍼柄の突起とブリスタの鍼柄挟持くびれにより鍼の下方向への移動が制限される様子を示す図
【図１１】本発明の実施例４にかかる鍼１０１ｂの基本構成を模式的に示した図
【図１２】本発明の実施例４にかかる鍼１０１ｂを鍼管１０４に外装した基本構成を模式的に示した図
【図１３】本発明の実施例４にかかる鍼１０１ａおよび鍼管１０４の包装構造体を示す図
【図１４】本発明の実施例４にかかる鍼１０１ａおよび鍼管１０４の包装構造体を示す図
【図１５】本発明の実施例５にかかるブリスタに波型形状の鍼柄挟持くびれ形状１０５を備えた鍼および鍼管の包装構造体を模式的に示す図
【図１６】波型形状の鍼柄挟持くびれ形状１０５の山の数と鍼柄のぶれとの関係を示す図（山の数が左右３つの場合）
【図１７】図１５に示したブリスタの波型形状の波数の山を１つずつ増やした場合の構成例を示す図
【図１８】波型形状の鍼柄挟持くびれ形状１０５の山の数と鍼柄のぶれとの関係を示す図（山の数が左右５つの場合）
【図１９】実施例６にかかる鍼および鍼管の包装構造体を示す図
【図２０】鍼管１０４がブリスタの鍼管挟持くびれ１０８により固定されている様子を説明した図
【図２１】従来の鍼と鍼管と止めクリップを示す図
【図２２】従来の鍼および鍼管の包装構造体を示す図
【図２３】従来の鍼および鍼管の包装構造体から鍼および鍼管を取り出す様子を示す図
【符号の説明】
【００６７】
１０１  鍼
１０２  鍼体
１０３  鍼柄
１０４  鍼管
１０５  鍼柄挟持くびれ
１０６  ブリスタ
１０７  台紙
１０８  鍼管挟持くびれ
１１０  溝状の折り目
１２０  突起
１３０ａ，１３０ｂ  かしめ
【図１】
2008194445.tif 000003
【図２】
2008194445.tif 000004
【図３】
2008194445.tif 000005
【図４】
2008194445.tif 000006
【図５】
2008194445.tif 000007
【図６】
2008194445.tif 000008
【図７】
2008194445.tif 000009
【図８】
2008194445.tif 000010
【図９】
2008194445.tif 000011
【図１０】
2008194445.tif 000012
【図１１】
2008194445.tif 000013
【図１２】
2008194445.tif 000014
【図１３】
2008194445.tif 000015
【図１４】
2008194445.tif 000016
【図１５】
2008194445.tif 000017
【図１６】
2008194445.tif 000018
【図１７】
2008194445.tif 000019
【図１８】
2008194445.tif 000020
【図１９】
2008194445.tif 000021
【図２０】
2008194445.tif 000022
【図２１】
2008194445.tif 000023
【図２２】
2008194445.tif 000024
【図２３】
2008194445.tif 000025